(57)【要約】【課題】記録紙と、Ｚ折りした記録紙束を組み合わせて綴じる際、ステープルが処理できる許容枚数を超えたときに束綴じ、またはＺ折りを継続して行うと画像形成装置本体のトラブルが生じ再作業をすることになり、時間や記録紙の無駄が生じる問題がある。【解決手段】束綴じ処理と単葉折り処理が共に選択された場合、両方の処理を実行中に制御手段が許容枚数を超えると判断した場合、処理の実行を一時停止し、束綴じまたは単葉折りの何れか一方の処理を選択した後、処理を実行することによりユーザの優先する後処理機能を継続することが可能な後処理装置を提供することができる。【選択図】図１
2007161415.tif 000002
【特許請求の範囲】
【請求項１】
画像形成装置より搬出された記録紙を収容トレイに集積して形成される記録紙束の、束綴じ処理を行う束綴じ手段と、
前記搬出された記録紙の単葉折り処理を行う単葉折り手段と、
前記搬出された記録紙を数える計測手段と、
前記収容トレイが記録紙を収容できる許容枚数を設定する設定手段と、
前記束綴じ手段と前記単葉折り手段を選択する選択手段と、
を有する後処理装置において、
前記束綴じ処理と前記単葉折り処理が共に選択され、両方の処理を実行中に、前記設定手段の情報から前記許容枚数を超えると判断した場合、前記両方の処理の実行を一時停止し、
前記束綴じ処理または前記単葉折り処理の何れか一方の処理を選択した後、一方の処理を実行するように制御する制御手段を有することを特徴とする後処理装置。
【請求項２】
前記制御手段は、束綴じ処理と単葉折り処理が共に選択され、両方の処理を実行する前に、前記設定手段の情報から前記許容枚数を超えると判断した場合、前記束綴じ処理の実行を中止するか、前記単葉折り処理の実行を中止するか、前記単葉折り処理の実行を前記許容枚数を超えた以降中止するか、の何れかを選択した後、処理を実行するように制御することを特徴とする請求項１に記載の後処理装置。
【請求項３】
前記単葉折り手段は、前記綴じ手段が前記束綴じ処理を行うときに、綴じしろ部を残して折る手段を有することを特徴とする請求項１または２に記載の後処理装置。
【発明の詳細な説明】
【技術分野】
【０００１】
本発明は折り畳み処理等の後処理を行う後処理装置に関する。特に束綴じの対象となる記録紙束の枚数が綴じ処理許容枚数を超えている場合に、ユーザの希望に沿った処理方法を選択して後処理等を行うようにした後処理装置に関する。
【背景技術】
【０００２】
電子写真式を利用した画像形成装置には、原稿から複数部の印刷を行う複写機能の他に読み取り光学手段にレーザ光を使って感光体ドラムにレーザ光を照射してパーソナルコンピュータ（パソコンという）や、ワードプロセッサなどからの電気信号を印字するプリンタ機能を持つ複合機が多く見られるようになってきている。
【０００３】
さらにプリントすべき内容が文書のときは通常のＡ４サイズの記録紙を使用し、グラフや図面などのときは、Ａ４サイズの他にＡ３サイズの記録紙を使うときがある。このように記録紙サイズが異なる印刷内容をプリントすることは可能であるが、プリントされた複数の記録紙を束ねて綴じる（ステープルという）後処理では、記録紙サイズが異なるとファイリングなどの取り扱いに不便が生じる。
【０００４】
そこで記録紙サイズを同一にするため、Ａ３サイズの記録紙をＡ４サイズに折る折り畳み機能を備えた後処理装置が提案されている（例えば特許文献１）。
【０００５】
特許文献１には、ペーパーインサータと呼ばれる画像形成装置を経ない記録紙（例えば印刷済みの表紙など）を積載、給紙する記録紙給紙部を後処理装置に設け、Ｚ折りした記録紙とを組み合わせてステープルを行うことが記載されている。
【０００６】
また特許文献２ではステープル処理を行う際にステープル許容枚数を超えると判断した場合、一部目のプリントはステープル無しで行い、一部目の読み取り時に読み取った原稿枚数からステープル許容枚数内に収まる集約印刷手順を計算し、二部目以降は一部目と同様にステープル無しか、集約画像によるステープル処理を行うかを選択することが記載されている。
【特許文献１】特開２００４−１４９２５０号公報
【特許文献２】特開２００３−５７９９９号公報
【発明の開示】
【発明が解決しようとする課題】
【０００７】
しかしながら上記いずれの従来技術にも問題が残されている。特許文献１ではステープル許容枚数を超えたときに処理を継続するか、中止するかを選択することができないのでステープル枚数を事前にユーザが管理しなければならず、枚数管理を忘れた場合ステープル処理ができず、場合によっては再作業をすることになり、時間や記録紙の無駄が生じる。
【０００８】
特許文献２ではステープル処理のみの許容枚数オーバー対応であり、束綴じ＋単葉折りの許容オーバー対応については記載されていない。
【０００９】
本発明は記録紙と、Ｚ折りした記録紙束を組み合わせて綴じる際、ステープルが処理できる許容枚数を超えたときに束綴じを継続して行うか、Ｚ折りを継続して行うかの選択ができることによりユーザの優先する後処理機能を継続することが可能な後処理装置を提供することである。
【００１０】
なお本発明では単葉折りとは、１枚の記録紙をステープルする領域を残してＺ状に折ることをいい、図６に折り状態の例を示す。図６（ａ）において記録紙長手方向の中央（破線部）から１回目の折りを行い、さらにその中央（一点鎖線部）から２回目の折りを行い、記録紙サイズの略半分のサイズにし、ステープルする領域（Ａ部）も確保できる。
【００１１】
さらに他の例として図６（ｂ）に示すように、ステープル領域が確保されれば記録紙の半分のサイズにする必要は無くてもよい。
【課題を解決するための手段】
【００１２】
上記目的は下記の発明により達成できる。
１．画像形成装置より搬出された記録紙を収容トレイに集積して形成される記録紙束の、束綴じ処理を行う束綴じ手段と、
前記搬出された記録紙の単葉折り処理を行う単葉折り手段と、
前記搬出された記録紙を数える計測手段と、
前記収容トレイが記録紙を収容できる許容枚数を設定する設定手段と、
前記束綴じ手段と前記単葉折り手段を選択する選択手段と、
を有する後処理装置において、
前記束綴じ処理と前記単葉折り処理が共に選択され、両方の処理を実行中に、前記設定手段の情報から前記許容枚数を超えると判断した場合、前記両方の処理の実行を一時停止し、
前記束綴じ処理または前記単葉折り処理の何れか一方の処理を選択した後、一方の処理を実行するように制御する制御手段を有することを特徴とする後処理装置。
２．前記制御手段は、束綴じ処理と単葉折り処理が共に選択され、両方の処理を実行する前に、前記設定手段の情報から前記許容枚数を超えると判断した場合、前記束綴じ処理の実行を中止するか、前記単葉折り処理の実行を中止するか、前記単葉折り処理の実行を前記許容枚数を超えた以降中止するか、の何れかを選択した後、処理を実行するように制御することを特徴とする１に記載の後処理装置。
３．前記単葉折り手段は、前記綴じ手段が前記束綴じ処理を行うときに、綴じしろ部を残して折る手段を有することを特徴とする１または２に記載の後処理装置。
【発明の効果】
【００１３】
本発明によれば、束綴じ処理と単葉折り処理が共に選択された場合、両方の処理を実行中に収容トレイの許容枚数を超えると制御手段が判断した場合、両方の処理の実行を一時停止し、束綴じ処理または単葉折り処理の何れか一方の処理を選択した後、処理を実行し、束綴じ処理と単葉折り処理が共に選択され、処理を実行する前に制御手段が許容枚数を超えると判断した場合、束綴じ処理の実行を中止するか、単葉折り処理の実行を中止するか、単葉折り処理が許容枚数を超えた以降中止するかの何れかを選択した後、処理を実行することにより、ユーザの優先する後処理機能を継続することが可能な後処理装置を提供することができる。
【発明を実施するための最良の形態】
【００１４】
図１は画像形成装置Ａ、後処理装置Ｂから成る画像形成システムの全体構成図である。画像形成装置Ａにおいて画像が形成されて後処理装置に送り込まれる記録紙を記録紙といい、後処理装置において新たに給紙されて後処理される記録紙を単に用紙という。
【００１５】
［画像形成装置］
画像形成装置Ａは、回転する像担持体１の周囲に、帯電手段２、像露光手段（書込手段）３、現像手段４、転写手段５Ａ、除電手段５Ｂ、分離爪５Ｃ及びクリーニング手段５Ｄを配置した画像形成部を有し、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００１６】
一方、給紙手段６Ａから給紙された記録紙Ｓは中間給紙部６Ｂを経て転写位置へと送られる。転写位置において転写手段５Ａにより前記トナー像が記録紙Ｓ上に転写される。その後に、記録紙Ｓは除電手段５Ｂにより裏面の電荷が消去され、分離爪５Ｃにより像担持体１から分離され、搬送手段７Ａにより搬送され、引き続き定着手段８により加熱定着され、排紙ローラ７Ｃにより排出される。
【００１７】
記録紙Ｓの両面に画像形成を行う場合には、定着手段８により加熱定着された記録紙Ｓを、搬送路切換板７Ｂにより通常の排紙通路から分岐し、反転搬送手段７Ｄにおいてスイッチバックして表裏反転した後、排紙ローラ７Ｃにより装置外に排出される。排紙ローラ７Ｃから排出された記録紙Ｓは、後処理装置Ｂの入口部１０に送り込まれる。排紙ローラ７Ｃの近傍には、排出される記録紙Ｓの先端部及び後端部の通過を検知する排紙センサＰＳ１が設置されている。
【００１８】
一方、像担持体１の表面は転写後に分離爪５Ｃの下流においてクリーニング手段５Ｄによりクリーニングされ、次の画像形成に備える。
【００１９】
画像形成装置Ａの上部には、画像形成条件を設定する本体操作部９が配置されている。
【００２０】
［後処理装置］
後処理装置Ｂには、図示の上段に用紙給紙部５１、上部排紙台９３が配置され、中段にＺ折り畳み手段３０、排紙ローラ９１がほぼ水平をなす同一平面上に直列配置され、下段に集積部７０と折り畳み手段８０が傾斜面をなす同一平面上に直列に配置されている。
【００２１】
また、後処理装置Ｂの図示左側面には、Ｚ折り処理を終えた用紙Ｋ又は用紙Ｓ、シフト処理済みの記録紙Ｓ及び綴じ処理済みの記録紙束Ｓａを多数枚又は多数部積載する昇降排紙台９２が配置されている。
【００２２】
図２は後処理装置Ｂ内における用紙の搬送経路を示す断面図で、図３はＺ折り畳み手段３０近傍の記録紙又は用紙の搬送経路を示す断面図である。先ず図３を用いて本発明のＺ折り畳み手段とＺ折り畳み手段への搬送経路について説明を行い、続いて図２を用いて後処理装置Ｂについて説明する。
【００２３】
画像形成装置Ａの排紙ローラ７Ｃから排出された記録紙Ｓは、後処理装置Ｂの入口部１０に導入される。入口部１０の記録紙搬送方向下流側には、記録紙Ｓの先端部及び後端部の通過を検知する記録紙先後端検知センサＳＰ２が配置されている。さらにその記録紙搬送方向下流側には、レジストローラ３１と、ソレノイドＳＤ１により揺動可能な分岐部材３２とが配置されている。
【００２４】
レジストローラ３１を通過した記録紙Ｓは、分岐部材３２により水平方向の第１搬送路３０１と、下方のＺ折り畳み手段３０に導く第２搬送路３０２とに分岐される。第１搬送路３０１に搬送される記録紙Ｓは、排紙ローラ３９により直接昇降排紙台９２に向けて排紙される。
【００２５】
第２搬送路３０２に搬送される記録紙Ｓは、Ｚ折り畳み手段３０を構成する折りローラ３３，３４，３５、第１停止手段３６及び第２停止手段３７により、中折り処理やＺ折りと称される三つ折り畳み処理が行われる。
【００２６】
・Ｚ折り畳み手段
図３と図４を参照しながら記録紙Ｓの折り状態を説明する。
【００２７】
レジストローラ３１により搬送されて第２搬送路３０２を走行する記録紙Ｓはその先端が第１停止手段３６に突き当たって停止する（図４ａ）。先端が突き当たった状態で搬送される記録紙Ｓは折りローラ３３と３４との間に屈曲し折り畳まれて進入する（図４ｂ）。折りローラ３３、３４により折り畳まれた記録紙Ｓは、第３搬送路３０３を走行して第２停止手段３７に突き当たり、その先端が停止する。先端が係止された状態で折りローラ３３、３４により搬送される記録紙Ｓの後端部は折りローラ３３、３４の搬送力により屈曲して折りローラ３４と３５との間に屈曲して進入する（図４ｃ）。折りローラ３４と３５とにより第２の折り畳みが行われ（図４ｄ）、後端部が折り畳まれた記録紙Ｓは第４搬送路３０４を走行する（図４ｅ）。このように記録紙Ｓの２カ所でＺ字状に折り畳みが行われた後に第２停止手段３７は係止を解除し、折り畳まれた記録紙Ｓは排紙ローラ３９から排紙される。なお第１停止手段３６、第２停止手段３７の位置を調整することにより折りしろを変更することができる。
【００２８】
・給紙手段
用紙給紙部５１の給紙皿内に収容された用紙Ｋは、給紙ローラ５１１により分離、給送され、搬送ローラ５１２，５１３に挟持されて、合流部５０に導入される。用紙給紙部５１の給紙皿内には、画像形成装置Ａから直接排出される記録紙Ｓ以外の用紙を積載して、オフライン作動により、給紙ローラ５１１により給送する事ができる。
【００２９】
・合流部
後処理装置Ｂの合流部５０には、画像形成装置Ａの排紙ローラ７Ｃから排出された記録紙Ｓが導入される。また、合流部５０には、後処理装置Ｂの上部に設置された用紙給紙部５１から供給される用紙Ｋとが導入される。合流部５０はＺ折り畳み手段３０の上流に位置しているので、記録紙Ｓ又は用紙ＫについてＺ折り畳み処理が可能となっている。
【００３０】
・用紙分岐手段
排紙ローラ６６の用紙搬送方向下流側には、切り換えゲートＧ１，Ｇ２から成る用紙分岐手段が設けられている。切り換えゲートＧ１，Ｇ２は図示しないソレノイドの駆動により三方の用紙搬送路、即ち、上部排紙台９３に至る第１搬送路Ｆ１、中段の排紙ローラ９１に至る第２搬送路Ｆ２、下段の集積部７０に至る第３搬送路Ｆ３の何れかに選択的に分岐させる。
【００３１】
・単純排紙
この用紙搬送が設定されると、切り換えゲートＧ１は第１搬送路Ｆ１のみを開放し、他の第２搬送路Ｆ２、第３搬送路Ｆ３を遮断する。
【００３２】
第１搬送路Ｆ１を通過する用紙は、搬送ローラ９３１に挟持されて上昇し、排出ローラ９３２により排出され、上部排紙台９３上に載置され、順次積載される。上部排紙台９３には最大約２００枚の用紙を積載することができる。
【００３３】
・綴じ処理
後に説明する後処理の操作部又は画像形成装置Ａの操作部９において綴じ処理または折り畳み処理が設定されると、用紙給紙部５１から排出された用紙、又は画像形成装置Ａ内で画像形成処理されて、後処理装置Ｂの合流部５０に送り込まれた記録紙は、切り換えゲートＧ２の下方の第３搬送路Ｆ３に送り込まれ、搬送ローラ７０１、７０２に挟持されて搬送され、用紙の先端部が入口搬送ローラ（レジストローラ）７０３の挟持位置付近に当接して停止され、用紙先端の整合が行われる。
【００３４】
用紙の進行方向後端部が搬送ローラ７０３の挟持位置から排出されたのちには、用紙の自重により下降に転じ、収容トレイ（ステープルスタッカ）７１の傾斜面上を下降し、巻き込みベルト７０４により用紙先端部が摺動搬送され、綴じ手段７００の近傍に設けた端綴じ用位置規制手段７２の用紙突き当て面に用紙の後端部が当接して停止する。
【００３５】
７３は収容トレイ７１の両側面に移動可能に設けた一対の幅整合部材である。収容トレイ７１上に所定枚数（１束分）の用紙が積載、整合されると、綴じ手段７００により１ヵ所綴じ又は２ヵ所綴じの綴じ合わせ処理が行われ、用紙の束が形成される。
【００３６】
綴じ処理された用紙束は、排出ベルト７４の排出爪７４Ａにより用紙の後端部が保持されて、用紙載置台７１の載置面上を滑走して斜め上方に押し上げられ、排紙ローラ９１に挟持された用紙は、昇降排紙台９２上に排出、積載される。
【００３７】
・中折り処理
中折り処理開始信号により、駆動源に接続する折り板８２は、案内板８１の用紙載置面より図示の左方向に突出する。図示の左方向に直進して突出した折り板８２の先端部は、用紙の中央部を押し込み、用紙を介して折りローラ８３，８４の挟持位置を押し広げて離間させる。
【００３８】
折り板８２の先端部が折りローラ８３，８４の挟持位置を通過後、折り板８２が後退して、用紙の中央部は、折りローラ８３，８４により挟圧されて、折り目が形成される。挟圧されて折り目を形成された用紙は、回転する折りローラ８３，８４により搬出され、機外の下部排紙台９４上に載置される。
【００３９】
［後処理装置の制御］
図５に示すブロック図は画像形成装置Ａと後処理装置Ｂとの制御系の主要部を示すブロック図である。
【００４０】
画像形成装置Ａには画像形成部の制御を行う本体制御部１１０Ａがあって、本体操作部９と接続し、本体操作部９に入力されたコピー指示によって、本体駆動系１１２Ａ及び記録紙搬送駆動系１１３Ａの制御を行っている。また後処理装置Ｂには後処理部の制御を行う後処理制御部１１０Ｂがあって、後処理操作部９０及び後処理駆動系１１２Ｂ、用紙給紙駆動系１１３Ｂと接続している。
【００４１】
本体制御部１１０Ａと後処理制御部１１０Ｂとの間では信号の送受を行う通信部１１１を接続している。操作部９によってコピーとコピーされた記録紙についての後処理が求められたときは、本体制御部１１０Ａは通信部１１１を介して後処理制御部１１０Ｂと連絡し、本体制御部１１０Ａは本体駆動系１１２Ａ及び記録紙搬送駆動系１１３Ａを制御して記録紙に対してコピー動作を行い、後処理部へと搬送された記録紙には後処理制御部１１０Ｂに制御された後処理駆動系が作動して後処理が行われて排紙される。
【００４２】
後処理操作部９０は用紙給紙部５１に収容された用紙Ｋを用いて後処理を行うために設けられた操作部で、後処理条件が入力されると、後処理制御部１１０Ｂはオフラインモードとして通信部１１１を介しての本体制御部１１０Ａとの連絡を一時停止し、後処理駆動系１１２Ｂを制御して用紙給紙部５１上に載置された用紙に対してＺ折り畳み処理をはじめとし、希望する後処理を行う。
【００４３】
なお、Ｚ折り畳み処理については、本体操作部９からの指示によって、画像形成された記録紙についてＺ折り畳み処理を行い、用紙給紙部５１から給紙された用紙についてＺ折り畳み処理を行い、折り畳み処理された両者の折り畳み紙を組み合わせて排紙するよう制御することも可能としている。
【００４４】
ステープルとＺ折りの選択方法について、図７と図８のフローチャート図と、図９〜図１１の本体操作部９画面を使用して説明する。なおフローの途中で「判断」とは制御手段が行い、「選択」は操作部画面上の選択手段を用いてユーザが行うこととする。
【００４５】
［設定例１］
ここでは設定例として、束綴じと単葉折りが共に選択され、後処理を実行中に綴じ処理許容枚数を超えると判断した場合、後処理の実行を一時停止し、束綴じ手段または単葉折り手段の何れか一方の手段を選択した後、後処理を実行するモードについて説明する。また図１０はそのときの操作画面上の選択画面を示す。
【００４６】
条件は、原稿６枚、ステープルを行う、片面コピー、Ｚ折り有り、１部作成、ステープルとＺ折りの制限枚数は５枚とする。
【００４７】
図７のフローチャートは、画像形成装置のスタートボタンが押され（ステップ：Ｓ０１）、操作部９上の紙折りボタンからＺ折りを指定し、仕上がりボタンからステープルを指定した後からのフローである。（図９参照）
ステップＳ０２においてコピーボタンを押すと原稿の読み込みと平行して出力が開始される。ステップＳ０３で、記録紙はＺ折りされてステープルスタッカーに格納される。
【００４８】
ステップＳ０４においてステープルスタッカー格納枚数が制限枚数未満かを判断する。制限枚数を超えると判断された場合（ステップＳ０４：ＮＯ）、読み込みと出力を停止して操作部９のパネルにＰＯＰＵＰ画面を表示する（ステップＳ０５）。設定例では５枚格納され、６枚目出力開始前に読み込み、及び出力を停止する。
【００４９】
ステップＳ０６では、ステープルを継続するかどうかの選択を行い、「ステープルを継続しＺ折りを解除」を選択した場合（ステップＳ０６：ＹＥＳ）、６枚目はＺ折りせずステープルスタッカーに格納し、６枚をステープルしてＪＯＢを終了する（ステップＳ０７）。
【００５０】
ステップＳ０６：ＮＯの場合即ち「ステープルを解除してＺ折りを継続」を選択した場合は、一旦ステープルスタッカー内の５枚を排出し（ステップＳ０８）、ＪＯＢそのものを中止するかどうかを選択する（ステップＳ０９）。
【００５１】
ステップＳ０９でＪＯＢを続ける（ステップＳ０９：ＮＯ）の場合、その後６枚目をＺ折りして出力し（ステップＳ１０）、ＪＯＢを終了する。
【００５２】
ステップＳ１０：ＹＥＳの場合、ステープルスタッカー内の５枚を排出し、ＪＯＢを終了する。
【００５３】
［設定例２］
次に、束綴じと単葉折りが共に選択され、後処理を実行前に許容枚数を超えると判断した場合、束綴じ手段を中止するか、単葉折りの実行を中止するか、単葉折り手段を許容枚数を超えた以降中止するかの何れかを選択した後、後処理を実行するモードについて説明する。図１１は設定例２の操作画面上の選択画面を示す。
【００５４】
条件は設定例１と同じく、原稿６枚、ステープルを行う、片面コピー、Ｚ折り有り、１部作成、ステープルとＺ折りの制限枚数は５枚、メモリーモード有りとする。
【００５５】
設定例２のフローチャートを図８に示す。
【００５６】
スタートボタンを押す（ステップＳ２０）。原稿読み取り完了（ステップＳ２１）後、ステップＳ２２において出力開始のためのコピーボタンを押す。本体は出力を開始せずＰＯＰＵＰ画面が表示され（ステップＳ２３）、ステープルスタッカー格納枚数が制限未満かどうかの判断（ステップＳ２４）を行う。ステップＳ２４がＮＯの場合（ステップＳ２４：ＮＯ）、ＪＯＢ選択を行う（ステップＳ２５）。
【００５７】
ステップＳ２６では「ステープルを解除して、Ｚ折りを継続」の選択を行い、ステップＳ２６がＹＥＳの場合（ステップＳ２６：ＹＥＳ）、ステップＳ２７ではステープルは行われず、６枚Ｚ折りして出力される。
【００５８】
ステップＳ２６がＮＯの場合（ステップＳ２６：ＮＯ）、ステップＳ２８に進む。ステップＳ２８では「ステープルを継続して、Ｚ折りを解除」の選択を行い、ステップＳ２８がＹＥＳの場合（ステップＳ２８：ＹＥＳ）、ステープルを６枚行い、Ｚ折り無しで出力される（ステップＳ２９）。
【００５９】
ステップＳ２８がＮＯの場合（ステップＳ２８：ＮＯ）、ステップＳ３０に進む。ステップＳ３０では「ステープルを継続して、Ｚ折りを５枚まで継続」の選択を行う。ステップＳ３０がＹＥＳの場合（ステップＳ３０：ＹＥＳ）、ステープルあり、５枚Ｚ折り、１枚Ｚ折り無しで出力される（ステップＳ３１）。
【００６０】
ステップＳ３０がＮＯの場合（ステップＳ３０：ＮＯ）、ＪＯＢを中止（ステップＳ３１）に進み、出力しないでＪＯＢを中止する。
【００６１】
このように本発明の後処理装置は、ステープル処理と折り畳み処理が組み合わされた後処理を行う場合、ステープル処理枚数に限界があるとき、ＪＯＢを継続するか中止するか等の選択手段を有するので、ユーザが優先する後処理機能を継続することができ、コピー生産性が向上する。
【図面の簡単な説明】
【００６２】
【図１】画像形成装置及び後処理装置から成る画像形成システムの全体構成図。
【図２】後処理装置内における記録紙の搬送経路を示す断面図。
【図３】Ｚ折り畳み手段近傍の記録紙の搬送経路を示す断面図。
【図４】記録紙がＺ折りされるところを示した図。
【図５】画像形成装置Ａと後処理装置Ｂとの制御系の主要部を示すブロック図。
【図６】Ｚ折りを示す図。
【図７】設定例１のステープルとＺ折り処理を示すフローチャート図。
【図８】設定例２のステープルとＺ折り処理を示すフローチャート図。
【図９】ステープルとＺ折りの選択方法を示す図。
【図１０】設定例１の選択方法を示す図。
【図１１】設定例２の選択方法を示す図。
【符号の説明】
【００６３】
３０  Ｚ折り畳み手段
３１  レジストローラ
５０  合流部
５１  用紙給紙部
９０  後処理操作部
９３  上部排紙台
１１０Ｂ  後処理制御部
Ａ  画像形成装置
Ｂ  後処理装置
【図１】
2007161415.tif 000003
【図２】
2007161415.tif 000004
【図３】
2007161415.tif 000005
【図４】
2007161415.tif 000006
【図５】
2007161415.tif 000007
【図６】
2007161415.tif 000008
【図７】
2007161415.tif 000009
【図８】
2007161415.tif 000010
【図９】
2007161415.tif 000011
【図１０】
2007161415.tif 000012
【図１１】
2007161415.tif 000013